(57)【要約】【課題】  撮像レンズユニット非装着時の内部への異物の進入が防止され、かつ撮像レンズユニット非装着時にも高い利用効率を有する撮像本体ユニットを提供することを目的とする。【解決手段】  撮影光学系と撮像素子とを備えた撮像レンズユニット１１０が着脱自在に装着される凹形状のマウント部１５１を備え該マウント部１５１に装着された撮像レンズユニット１１０から画像信号を受け取って記録する撮像本体ユニット１５０において、上記マウント部１５１開口を塞ぐとともに、上記撮像レンズユニット１１０の装着時に該撮像レンズユニット１１０に押されて上記マウント部１５１の凹部奥に後退するバリア２００と、上記バリア２００上に配備された撮像モジュール２１０とを備えた。【選択図】        図１
2006319546.tif 000002
【特許請求の範囲】
【請求項１】
撮影光学系と撮像素子とを備えた撮像レンズユニットが着脱自在に装着される凹形状のマウント部を備え該マウント部に装着された撮像レンズユニットから画像信号を受け取って記録する撮像本体ユニットにおいて、
前記マウント部開口を塞ぐとともに、前記撮像レンズユニットの装着時に該撮像レンズユニットに押されて前記マウント部の凹部奥に後退するバリアと、
前記バリア上に配備された電子デバイスとを備えたことを特徴とする撮像本体ユニット。
【請求項２】
前記バリアの動きに応じて、前記撮像レンズユニットの非装着時に前記電子デバイスに給電して該電子デバイスを作動させ、前記撮像レンズユニットの装着時に該電子デバイスへの給電を遮断する接点構造を有することを特徴とする請求項１記載の撮像本体ユニット。
【請求項３】
前記電子デバイスが、前記撮像レンズユニットの非装着時に該撮像レンズユニットに代わり撮像を行う撮像モジュールであることを特徴とする請求項１記載の撮像本体ユニット。
【請求項４】
前記電子デバイスが、画像を表示する表示モジュールであることを特徴とする請求項１記載の撮像本体ユニット。
【発明の詳細な説明】
【技術分野】
【０００１】
本発明は、着脱自在に装着される撮像レンズユニットから画像信号を受け取って記録する撮像本体ユニットに関する。
【背景技術】
【０００２】
従来、撮像レンズユニットが撮像本体ユニットに対して着脱自在に取り付けられるとともに、コネクタを介して上記撮像レンズユニットと上記撮像本体ユニットとが互いに電気的に接続されるレンズ交換式カメラが開示されている（例えば、特許文献１参照。）。このレンズ交換式カメラでは、コネクタにより撮像レンズユニットが撮像本体ユニットに電気的に接続されるが、コネクタ部に異物や汚れが付着した場合には接続不良が起きて種々の不具合が発生することがある。また、他の物体に帯電した静電気がコネクタ部に放電されることで撮像本体ユニット内部の電子素子が破壊されることもある。
【０００３】
しかし、上記特許文献１に開示されたレンズ交換式カメラでは、撮像レンズユニットが撮像本体ユニットに未装着の時には、コネクタ部が露出しているため、コネクタ部への異物や汚れの付着により接触不良が起き、不具合が発生しやすいという問題がある。
【０００４】
このような不具合を防ぐために、例えば、撮像レンズユニットを撮像本体ユニットに装着して使用するレンズ交換式カメラにおいて、撮像レンズユニット挿入部の前面を覆うバリアを具備し、撮像レンズユニットの挿入時にはバリアを開いて撮像本体ユニットに対して着脱可能とする第１のポジションと、撮像レンズユニットが非装着の状態でバリアを閉じる第２のポジションとを有するレンズ交換式カメラが開示されている（例えば、特許文献２参照。）。このレンズ交換式カメラによれば、撮像レンズユニット挿入部の前面に開閉式のバリアを設けたことにより、撮像レンズユニットの非装着時にも撮像本体ユニット内部を保護することができる。
【特許文献１】特開２００３−１５６７９０号公報（第１−３頁、図１）
【特許文献２】特開平８−１７１１３０号公報（第２−５頁、図４）
【発明の開示】
【発明が解決しようとする課題】
【０００５】
しかし、上記特許文献２に開示されたカメラでは、撮像本体ユニットに撮像レンズユニットが装着されていない場合には、バリアの部分はデッドスペースとなったままである。この撮像本体ユニットの分野では携帯性の観点から小型化、薄型化が要請されており、本体の内部、表面を問わず有効活用が図られている。このような状況から撮像レンズユニット非装着時であっても、撮像本体ユニットの前面に上記のようなデッドスペースが存在することは利用効率の面から問題である。
【０００６】
本発明は、上記事情に鑑み、撮像レンズユニット非装着時の内部への異物の進入が防止され、かつ撮像レンズユニット非装着時にも高い利用効率を有する撮像本体ユニットを提供することを目的とする。
【課題を解決するための手段】
【０００７】
上記課題を解決する本発明の撮像本体ユニットは、
撮影光学系と撮像素子とを備えた撮像レンズユニットが着脱自在に装着される凹形状のマウント部を備え該マウント部に装着された撮像レンズユニットから画像信号を受け取って記録する撮像本体ユニットにおいて、
上記マウント部開口を塞ぐとともに、上記撮像レンズユニットの装着時に該撮像レンズユニットに押されて上記マウント部の凹部奥に後退するバリアと、
上記バリア上に配備された電子デバイスとを備えたことを特徴とする。
【０００８】
本発明の撮像本体ユニットによれば、バリア上に電子デバイスを配備することにより、撮像レンズユニット非装着時にも撮像本体ユニットの利用効率を高めることができる。
【０００９】
ここで、上記バリアの動きに応じて、上記撮像レンズユニットの非装着時に上記電子デバイスに給電して該電子デバイスを作動させ、上記撮像レンズユニットの装着時に該電子デバイスへの給電を遮断する接点構造を有するものとすることが好ましい。
【００１０】
本発明の撮像本体ユニットを上記のように構成した場合は、バリア上の電子デバイスへの自動給電が可能な撮像本体ユニットを実現することができる。
【００１１】
また、上記電子デバイスが、上記撮像レンズユニットの非装着時に該撮像レンズユニットに代わり撮像を行う撮像モジュールであることも好ましい態様の一つである。
【００１２】
本発明の撮像本体ユニットを上記のように構成した場合は、撮像レンズユニットによる本格的な撮影のほかに、上記撮像モジュールによる簡易的な撮影をも行うことが可能となり、撮像本体ユニットの利用効率を高めることができる。
【００１３】
また、上記電子デバイスが、画像を表示する表示モジュールであることも好ましい態様の一つである。
【００１４】
本発明の撮像本体ユニットを上記のように構成した場合は、上記表示モジュール上に、例えば外部から受け取った情報または内部での情報処理に基づく情報などを表示することが可能となるので撮像本体ユニットの利用効率を高めることができる。
【発明の効果】
【００１５】
以上説明したように、本発明の撮像本体ユニットによれば、撮像レンズユニット非装着時の内部への異物の進入が防止されるとともに、撮像レンズユニット非装着時にも高い利用効率を有する撮像本体ユニットを実現することができる。
【発明を実施するための最良の形態】
【００１６】
以下図面を参照して本発明の撮像本体ユニットの実施の形態を説明する。
【００１７】
図１は、第１の実施形態の撮像本体ユニットおよびこの撮像本体ユニットに装着される撮像レンズユニットの外観図である。
【００１８】
図１に示すように、この撮像本体ユニット１５０は、撮影光学系と撮像素子とを備えた撮像レンズユニット１１０が着脱自在に装着される凹形状のマウント部１５１を備え、マウント部１５１に装着された撮像レンズユニット１１０から画像信号を受け取って記録するものであり、撮像レンズユニット１１０と撮像本体ユニット１５０とによりレンズ交換式のカメラシステム１００を構成している。
【００１９】
このカメラシステム１００は、撮像レンズユニット１１０の基部に設けた複数の突起部１０１を、撮像本体ユニット１５０側の、撮像レンズユニット１１０が着脱自在に装着される凹形状のマウント部１５１の内側に設けられた、上記突起部１０１と係合する係合部１０２に係合させて撮像レンズユニット１１０を撮像本体ユニット１５０に装着する、いわゆるバヨネット方式のレンズ交換カメラである。
【００２０】
この撮像本体ユニット１５０は、上記マウント部１５１開口を塞ぐとともに、撮像レンズユニット１１０の装着時に撮像レンズユニット１１０に押されてマウント部１５１の凹部奥に後退するバリア１５２と、該バリア１５２上に配備された電子デバイス２００とを備えている。
【００２１】
この実施形態では、電子デバイス２００として、撮像レンズユニット１１０の非装着時に撮像レンズユニット１１０に代わり撮像を行う撮像モジュールが配備されている。この撮像モジュールには、例えばレンズを小型化することのできる短焦点レンズ２１０および比較的小型のＣＣＤ（図示せず）が組み込まれており、撮像本体ユニット１５０のレリーズボタン１９０が操作者によりオンされると、撮像本体ユニット１５０内部のＣＰＵ１５４（図２参照）が上記撮像モジュールを制御し、この撮像モジュールにより撮影された画像が撮像本体ユニット１５０内部で処理され、メモリーカード１８０（図２参照）に記録される。
【００２２】
このように、本実施形態の撮像本体ユニット１５０によれば、本格的な撮像用の撮像レンズユニット１１０を装着しない場合でも、スナップショットのような簡単な写真撮影を手軽に行うことができる。
【００２３】
なお、この電子デバイス２００は、撮像モジュールだけでなく、画像を表示する表示モジュール（後述）を配備してもよく、さらに、これら以外の機能を有するデバイスであってもよい。
【００２４】
この撮像本体ユニット１５０は、撮像レンズユニット（図示せず）が装着された後には、バリア１５２は撮像レンズユニットに押されてマウント部１５１の凹部奥に後退するようになっている。図１は、バリア１５２がマウント部１５１の凹部奥に後退した状態を示している。この時、バリア１５２表面と上記撮像レンズユニットとの接触により撮像レンズユニットおよびカメラ本体双方のグランドどうしが電気的に接続されて同電位となる。この状態で撮像レンズユニット１１０を所定の方向に回転することにより、撮像レンズユニット１１０側の突起部１０１（図１参照）とマウント部１５１の内側に設けられた係合部１０２とが係合し、それとともに撮像レンズユニット側電気接点（図示せず）と本体側電気接点（図示せず）とが電気的に接続されて撮像レンズユニット１１０の撮像本体ユニット１５０への装着が完了する。
【００２５】
なお、上記の説明では、図１に示したような突起部１０１および係合部１０２による回転式の係合方式のカメラシステムについて説明したが、本発明のカメラシステムは上記の係合方式のみに限られるものではなく、例えば、撮像レンズユニットを撮像本体ユニット１５０のマウント部に押し当てるだけで係合が行われる係合方式を採用したものであってもよい。
【００２６】
また、本実施形態の撮像本体ユニット１５０では、バリア１５２の動きに応じて、撮像レンズユニット１１０の非装着時に電子デバイス２００に給電して該電子デバイス２００を作動させ、撮像レンズユニット１１０の装着時に該電子デバイス２００への給電を遮断する接点構造（後述）を有している。
【００２７】
撮像レンズユニット１１０は、撮影光学系１１１および撮像素子（図示せず）を備えており、撮像本体ユニット１５０は、上記マウント部１５１と、マウント部１５１内部に撮像レンズユニット１１０との間で通信を行うための本体側電気接点（図示せず）と、マウント部１５１の開口を塞ぐとともに、撮像レンズユニット１１０の装着時に撮像レンズユニット１１０に押されてマウント部１５１の凹部奥に後退するバリア１５２とを備え、マウント部１５１に装着される撮像レンズユニット１１０と通信を行い、撮像レンズユニット１１０から画像信号を受け取って信号処理を行うようになっている。
【００２８】
図２は、第１の実施形態の撮像本体ユニットおよび撮像レンズユニットのブロック図である。
【００２９】
図２に示すように、この撮像本体ユニット１５０は、撮影光学系と撮像素子と備えた撮像レンズユニット１１０が着脱自在に装着される凹形状のマウント部１５１を備え、マウント部１５１に装着された撮像レンズユニット１１０から画像信号を受け取って信号処理を行うものであり、この撮像レンズユニット１１０と撮像本体ユニット１５０とによりカメラシステムが形成される。
【００３０】
撮像レンズユニット１１０には、撮像本体ユニット１５０との接続のための撮像レンズユニット側電気接点１２１、カメラ操作者からの操作指示を受ける撮像レンズユニット操作部１１８、自動露出制御／自動焦点制御などを行うＡＥ／ＡＦ制御回路１１６、撮像レンズユニット１１０内の各部の動作を制御するサブＣＰＵ（Ｃｅｎｔｒａｌ  Ｐｒｏｃｅｓｓｉｎｇ  Ｕｎｉｔ）１１７、撮像レンズユニット側電気接点１２１を介して撮像本体ユニット１５０から受け取ったＤＣ電圧を、撮像レンズユニット１１０内の各部が必要とするＤＣ電圧に変換して供給するＤＣ／ＤＣコンバータ１１９などが備えられている。
【００３１】
撮影光学系１１１で撮影され、撮像素子１１２から出力された画像信号（ＣＣＤ＿ＲＡＷ）は、アナログ処理回路１１３でゲイン調整、ノイズ低減などの処理が行われた後、Ａ／Ｄ（Ｄｉｇｉｔａｌ／Ａｎａｌｏｇ）変換器１１４でデジタル信号に変換され、パラレル／シリアル変換伝送インターフェース１１５によりシリアル信号に変換された後、撮像レンズユニット側電気接点１２１および本体側電気接点１７０を介して撮像本体ユニット１５０に送信される。なお、撮像素子１１２としては、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などを用いることができる。
【００３２】
なお、撮像レンズユニット側電気接点１２１、マウント部１５１、バリア１５２、および本体側電気接点１７０の構造については、図３、図４を参照して詳細に説明する。
【００３３】
撮像本体ユニット１５０は、上述の電子デバイス２００、本体側電気接点１７０、マウント部１５１、およびバリア１５２のほかに、カメラ操作者からの操作指示を受けるカメラ本体操作部１５３、撮像本体ユニット１５０全体の制御を司るＣＰＵ１５４、撮像レンズユニット１１０から受け取ったＣＣＤ＿ＲＡＷ信号のホワイトバランス補正やγ補正を行ったりＹＣｂＣｒ信号（輝度／色相差信号）に変換したりする信号処理ブロック１６２、ＣＣＤ＿ＲＡＷ信号、ＹＣｂＣｒ信号、圧縮後のデータなどを一時保存するメモリバッファ１６１、撮像レンズユニット１１０との間の送受信信号のパラレル／シリアル変換処理を行うパラレル／シリアル変換伝送インターフェース１５５、ＹＣｂＣｒ信号を圧縮／伸長する圧縮伸長ブロック１６３、メモリバッファ１６１に保存されたデジタル信号をＤ／Ａ変換して得られた画像情報を表示する、例えばＬＣＤ（Ｌｉｑｕｉｄ  Ｃｒｙｓｔａｌ  Ｄｉｓｐｌａｙ ）などからなる表示部１５８、圧縮された画像情報を外部の、例えば、メモリカード１８０などの記憶媒体に記録するためのメディアインターフェース１５９およびコネクタ１６０、撮像本体ユニット１５０の各部に必要な電源を供給するとともに本体側電気接点１７０を介して撮像レンズユニット１１０側に必要な電源を供給する電源部１６４などを備えている。
【００３４】
なお、図２は、本発明の一実施形態を示したものであり、本発明は、この第１の実施形態のみに限定されるものではなく、例えば、撮像レンズのバリエーション、ＣＣＤの画素数、動画撮影用／静止画撮影用、手振れ補正などの撮影補助機構の有無、立体映像撮影用の複数のＣＣＤおよびレンズを備えたカメラシステムなど、用途に応じて種々の形態のカメラシステムの撮像本体ユニットとして構成することができる。
【００３５】
次に、この実施形態の撮像本体ユニットに撮像レンズユニットを装着する前および装着した後の状態について説明する。
【００３６】
図３は、第１の実施形態の撮像本体ユニットおよび装着前の撮像レンズユニットの断面図である。
【００３７】
図３には、撮像本体ユニット１５０の上方に、装着前の撮像レンズユニット１１０が示されている。
【００３８】
撮像本体ユニット１５０には、撮像レンズユニット１１０が着脱自在に装着される凹形状のマウント部１５１が備えられており、マウント部１５１内部には、本体側電気接点１７０と、バリア１５２とが備えられている。本体側電気接点１７０は、撮像本体ユニット１５０内に設けられた、ＣＰＵ１５４（図２参照）などの各素子が実装された回路基板１７３に接続されており、撮像レンズユニット側電気接点１２１と接続されることにより、撮像本体ユニット１５０と撮像レンズユニット１１０との間の各種電気信号の送受信が可能となる。
【００３９】
バリア１５２は、マウント部１５１の開口を塞ぐとともに、撮像レンズユニット１１０の装着時に撮像レンズユニット１１０に押されてマウント部１５１の凹部奥に後退するものであり、このバリア１５２はバネ１７１を介して、撮像本体ユニット１５０内の回路基板１７３と接続されている。
【００４０】
このバリア１５２は、本体側電気接点１７０を静電気から保護するとともに、撮像本体ユニット１５０内部への異物の進入を防ぐためのものであり、アルミニウムなどの導体で形成されており、このバリア１５２上に前述の電子デバイス２００が配備されている。
【００４１】
また、この実施形態の撮像本体ユニット１５０には、バリア１５２の動きに応じて、撮像レンズユニット１１０の非装着時に上記電子デバイス２００に給電して該電子デバイス２００を作動させ、撮像レンズユニット１１０の装着時に該電子デバイス２００への給電を遮断する接点構造を有している。すなわち、バリア１５２には、導体２０１を介して電子デバイス２００に接続された第１のバリア接点２０２が備えられ、一方、マウント部１５１には、撮像本体ユニット１５０内部の電源部１６４（図２参照）に接続された第２のバリア接点１７６が備えられており、これら２つのバリア接点２０２，１７６からなる接点構造により、撮像レンズユニット１１０の非装着時には電子デバイス２００に電源が給電されて該電子デバイス２００を作動させ、撮像レンズユニット１１０の装着時には電子デバイス２００への給電が遮断されて電子デバイス２００の作動を停止させるようになっている。
【００４２】
従って、図３に示すように、この撮像本体ユニット１５０に撮像レンズユニット１１０が装着される前には、第１のバリア接点２０２と第２のバリア接点１７６とは互いに接続されているので、電子デバイス２００には電源が給電されており電子デバイス２００は作動状態にある。
【００４３】
また、撮像レンズユニット１１０には、撮像レンズユニット側電気接点１２１が備えられている。この撮像レンズユニット側電気接点１２１は、撮像レンズユニット１１０内に設けられた、サブＣＰＵ１１７（図２参照）などの各素子が実装された回路基板１２３に接続されている。この撮像レンズユニット側電気接点１２１は、撮像レンズユニット装着時における、撮像本体ユニット１５０から離れた位置に備えられており、装着時に撮像レンズユニットが、バリア１５２をマウント部１５１の凹部に押圧した後に本体側電気接点１７０と電気的に接続される。
【００４４】
また、撮像レンズユニット側電気接点１２１は、撮像レンズユニット１１０内の回路基板１２３の電気的なグランドである導体１２４に接続されており、装着時に撮像本体ユニット１５０のバリア１５２に形成されたグランド接点（図示せず）に当接して撮像レンズユニット１１０と撮像本体ユニット１５０との間のグランドどうしを接続するようになっている。
【００４５】
なお、上記バリア１５２は、バネ１７１による付勢を受けてマウント部１５１の開口を塞ぐようになっており、撮像レンズユニット１１０が撮像本体ユニット１５０に装着される時には撮像レンズユニット１１０に押されてマウント部１５１の凹部奥に後退するとともに撮像レンズユニット１１０が撮像本体ユニット１５０から取り外された時にはバネ１７１の付勢によりマウント部１５１の開口を塞ぐ位置に戻るようになっている。バネ１７１の一端はバリア１５２に取り付けられており、他端は撮像本体ユニット１５０に内蔵されている各種の素子が組み込まれた回路基板１７３に取り付けられている。
【００４６】
このように、バリア１５２にバネ１７１を取り付けただけの簡単な構成によって、撮像レンズユニット取り外し後のカメラ本体を、静電気の放電による破壊や誤動作や異物の進入などから保護することができる。
【００４７】
図４は、第１の実施形態のカメラシステムの撮像レンズユニット装着後の断面図である。
【００４８】
図３に示した状態から、撮像レンズユニット１１０を撮像本体ユニット１５０に装着するには、撮像レンズユニット１１０により、撮像本体ユニット１５０側のバリア１５２をマウント部１５１の凹部奥に押圧し、その後撮像レンズユニットを所定の方向に回転させて、撮像レンズユニット１１０側の突起部１０１（図１参照）と撮像本体ユニット１５０側の係合部１０２（図１参照）とを互いに係合させることにより、図４に示した装着状態となる。
【００４９】
マウント部１５１の開口は、撮像レンズユニット１１０が装着されていない時にはバリア１５２により塞がれているが、撮像レンズユニット１１０が装着される時にはバリア１５２は撮像レンズユニット１１０に押されてマウント部１５１の凹部奥に後退する。従って、それまでは互いに接続されていた第１のバリア接点２０２と第２のバリア接点１７６とは互いに離されて電子デバイス２００への給電は遮断され、電子デバイス２００の作動は停止状態となる。
【００５０】
また、この時に、撮像レンズユニット１１０側のグランドである導体１２４と、撮像本体ユニット１５０側のグランドである回路基板１７３とがバネ１７１を介して互いに接続され、撮像レンズユニット１１０のグランドと撮像本体ユニット１５０側のグランドとが同電位となる。このように、撮像レンズユニット１１０のグランドと撮像本体ユニット１５０側のグランドとは同電位となるので、もし、静電気に帯電した方の手で撮像レンズユニット１１０を持ち、もう一方の手で撮像本体ユニット１５０の不導体部分を支持していたとしても、撮像レンズユニット１１０と撮像本体ユニット１５０との間に発生する数キロボルトの電位差を持つ電荷は、本体側電気接点１７０と撮像レンズユニット側電気接点１２１とが接近する以前に、撮像本体ユニット１５０側に放電され、双方の電気接点間に高電圧が印加されることが防止される。
【００５１】
こうして、撮像レンズユニット１１０のグランドと撮像本体ユニット１５０のグランドとが同電位となった状態で、撮像レンズユニット１１０がマウント部１５１の凹部奥まで挿入され、撮像レンズユニット１１０がレンズ光軸を中心に所定の方向に回転されることにより本体側電気接点１７０と撮像レンズユニット側電気接点１２１とが接続される。撮像レンズユニット側電気接点１２１および本体側電気接点１７０は、それぞれ、電源、グランド、ＣＣＤ＿ＲＡＷ信号、ＡＥ／ＡＦ用制御信号、撮像レンズユニット制御信号などの複数の電気接点から構成されており、上記のように、撮像レンズユニット側電気接点１２１と本体側電気接点１７０とが接続されることによって撮像レンズユニット１１０と撮像本体ユニット１５０との間の電源の授受および各種信号の送受信が可能となる。すなわち、この段階で、撮像本体ユニット１５０のレリーズボタン１９０が操作者によりオンされると、撮影された画像信号が撮像レンズユニット１１０から撮像本体ユニット１５０に送出され、信号処理され圧縮されたうえで、メモリーカード１８０（図２参照）に記録される。
【００５２】
また、本実施形態では、撮像本体ユニット１５０から撮像レンズユニット１１０を取り外す際に、撮像レンズユニット１１０とバリア１５２との接触が継続されている段階で電気的に相互に離れる位置に配備されている。
【００５３】
そのため、撮像本体ユニット１５０から撮像レンズユニット１１０を取り外す時には、撮像レンズユニット１１０をレンズ光軸を中心に装着時とは逆の方向に回転することにより、両者の係合が解除されるとともに本体側電気接点１７０と撮像レンズユニット側電気接点１２１との接続が解除されるが、この双方の電気接点の接続の解除が完了した時点においても、撮像レンズユニット１１０とバリア１５２との接触が継続されており、双方の電気接点の接続の解除が完了した後に撮像レンズユニット１１０のグランドと撮像本体ユニット１５０のグランドとの接続が解除される。従って、静電気に帯電した手で撮像レンズユニット１１０を掴んだ場合であっても、撮像レンズユニット側電気接点１２１、あるいは本体側電気接点１７０への静電気の放電は回避され、撮像レンズユニット１１０内の素子が破壊したり誤動作したりすることが防止される。
【００５４】
ここで、撮像レンズユニット１１０の外装１２２を金属製の外装とした場合には、外装１２２も双方のグランドと同電位になるので、撮像レンズユニット１１０全体の静電気による破壊や誤動作の発生を防止することができる。
【００５５】
また、撮像本体ユニット１５０の外装１７５を金属製の外装とした場合には、撮像本体ユニット１５０のグランドは外装１７５に接続されているので、バリア１５２がいかなる状態であっても撮像本体ユニット１５０のグランドと同電位となり、撮像本体ユニット１５０全体の静電気による破壊や誤動作の発生が防止される。
【００５６】
図５は、撮像レンズユニット装着時の撮像本体ユニット内部の動作シーケンスを示す図である。
【００５７】
図５に示すように、撮像レンズユニットが未装着の時には第１のバリア接点２０２（図２、３参照）と第２のバリア接点１７６とは接続状態にある（ステップＳ０１）。この状態では、撮像本体ユニット１５０の電源部１６４から２つのバリア接点を介して電子デバイス２００に給電が行われて電子デバイス２００は作動可能な状態となり、ＣＰＵ１５４の制御下に置かれる（ステップＳ０２）。
【００５８】
次に、撮像レンズユニット１１０が撮像本体ユニット１５０のマウント部１５１の開口内に挿入されるとバリア１５２はマウント部１５１の凹部奥に後退し（ステップＳ０３）、第１のバリア接点２０２と第２のバリア接点１７６とは離され、電子デバイス２００への給電は遮断されて電子デバイス２００は作動停止状態となる（ステップＳ０４）。
【００５９】
図６は、第１の実施形態における撮像本体ユニットの動作を示すフローチャートである。
【００６０】
図６に示すように、撮像本体ユニットの電源部１６４（図２参照）がオンになると、先ず、撮像レンズユニット装着の有無が検知される（ステップＳ１１）。
【００６１】
ステップＳ１１において撮像レンズユニット装着が検知されなかった場合はステップＳ１２に進み、第１のバリア接点２０２および第２のバリア接点１７６を介して電源部１６４からバリア１５２上の撮像モジュール２１０（図１参照）への給電が行われ撮像モジュール２１０による撮影スタンバイの状態となる。ここで、操作者によるレリーズボタン１９０のオン操作により（ステップＳ１３）、撮像モジュール２１０による撮影・画像記録が行われ（ステップＳ１４）、次にステップＳ１１に戻り、ステップＳ１１以降の処理が繰り返される。
【００６２】
一方、ステップＳ１１において撮像レンズユニット装着が検知された場合はステップＳ１５に進み、撮像本体ユニット１５０の電源部１６４から、本体側電気接点１７０および撮像レンズユニット側電気接点１２１を介して撮像レンズユニット１１０への給電が開始され撮像レンズユニット１１０が起動される。ここで、操作者によるレリーズボタン１９０のオン操作により（ステップＳ１６）、撮像レンズユニット１１０による撮影・画像記録が行われ（ステップＳ１７）、次にステップＳ１１に戻り、ステップＳ１１以降の処理が繰り返される。
【００６３】
次に、本発明の撮像本体ユニットの第２の実施形態としてバリア上に表示モジュールが配備された例について説明する。
【００６４】
図７は、第２の実施形態の撮像本体ユニットを示す図である。
【００６５】
図７に示すように、この撮像本体ユニット２５０のバリア２５２上には電子デバイスの他の例として画像を表示する表示モジュール２６０が配備されている。この表示モジュール２６０には、例えば液晶表示板や有機ＥＬ（Ｅｌｅｃｔｒｏ  Ｌｕｍｉｎｅｓｓｅｎｓｅ）などのデバイスが固定されており、撮像レンズユニット非装着時の撮像本体ユニット２５０をカメラとしてではなく、画像再生装置やＴＶ通信装置などとして使うことができる。このようにバリア上に表示モジュールを配備することにより、通常、撮像本体ユニット裏面に設けられている比較的大型の表示装置に加えて、日付・時刻の表示用または特定の画像表示用その他の比較的小型の表示装置として利用することができる。
【００６６】
図８は、第２の実施形態における撮像本体ユニットの動作を示すフローチャートである。
【００６７】
図８に示すように、撮像本体ユニットの電源部１６４（図２参照）がオンになると、先ず、撮像レンズユニット装着の有無が検知される（ステップＳ２１）。
【００６８】
ステップＳ２１において撮像レンズユニット装着が検知されなかった場合はステップＳ２２に進み、第１のバリア接点２０２および第２のバリア接点１７６を介して電源部１６４からバリア１５２上の表示モジュール２６０（図７参照）への給電が開始され、ＣＰＵ１５４（図２参照）により表示モジュール２６０への画像表示が行われ（ステップＳ２３）、次にステップＳ２１に戻り、ステップＳ１１以降の処理が繰り返される。
【００６９】
一方、ステップＳ２１において撮像レンズユニット装着が検知された場合はステップＳ２４に進み、撮像本体ユニット１５０の電源部１６４から、本体側電気接点１７０および撮像レンズユニット側電気接点１２１を介して撮像レンズユニット１１０への給電が開始され撮像レンズユニット１１０が起動される。ここで、操作者によるレリーズボタン１９０のオン操作により（ステップＳ２５）、撮像レンズユニット１１０による撮影・画像記録が行われ（ステップＳ２６）、次にステップＳ２１に戻り、ステップＳ２１以降の処理が繰り返される。なお、ステップＳ２４における撮像レンズユニット１１０の起動は２回目以降の処理の場合は省略される。
【００７０】
なお、以上の説明では電子デバイスの例として撮像モジュールおよび表示モジュールのみを挙げたが、電子デバイスはこれらに限られるものではなく、例えばラジオ／テレビ受信モジュールやオーディオ再生モジュールなどであってもよい。
【図面の簡単な説明】
【００７１】
【図１】第１の実施形態の撮像本体ユニットおよびこの撮像本体ユニットに装着される撮像レンズユニットの外観図である。
【図２】第１の実施形態の撮像本体ユニットおよび撮像レンズユニットのブロック図である。
【図３】第１の実施形態の撮像本体ユニットおよび装着前の撮像レンズユニットの断面図である。
【図４】第１の実施形態のカメラシステムの撮像レンズユニット装着後の断面図である。
【図５】撮像レンズユニット装着時の撮像本体ユニット内部の動作シーケンスを示す図である。
【図６】第１の実施形態における撮像本体ユニットの動作を示すフローチャートである。
【図７】第２の実施形態の撮像本体ユニットを示す図である。
【図８】第２の実施形態における撮像本体ユニットの動作を示すフローチャートである。
【符号の説明】
【００７２】
１００    カメラシステム
１０１    突起部
１０２    係合部
１１０    撮像レンズユニット
１１１    撮影光学系
１１２    撮像素子
１１３    アナログ処理回路
１１４    Ａ／Ｄ変換器
１１５    パラレル／シリアル変換伝送インターフェース
１１６    ＡＥ／ＡＦ制御回路
１１７    サブＣＰＵ
１１８    撮像レンズユニット操作部
１１９    ＤＣ／ＤＣコンバータ
１２１    撮像レンズユニット側電気接点
１２２    外装
１２４    導体
１５０    撮像本体ユニット
１５１    マウント部
１５２    バリア
１５３    カメラ本体操作部
１５４    ＣＰＵ
１５５    パラレル／シリアル変換伝送インターフェース
１５８    表示部
１５９    メディアインターフェース
１６０    コネクタ
１６１    メモリバッファ
１６２    信号処理ブロック
１６３    圧縮伸長ブロック
１６４    電源部
１７０    本体側電気接点
１７１    バネ
１７３    回路基板
１７６    第２のバリア接点
１８０    メモリーカード
１９０    レリーズボタン
２００    電子デバイス
２０１    導体
２０２    第１のバリア接点
２１０    短焦点レンズ
２５０    撮像本体ユニット
２５２    バリア
２６０    表示モジュール
【図１】
2006319546.tif 000003
【図２】
2006319546.tif 000004
【図３】
2006319546.tif 000005
【図４】
2006319546.tif 000006
【図５】
2006319546.tif 000007
【図６】
2006319546.tif 000008
【図７】
2006319546.tif 000009
【図８】
2006319546.tif 000010